(57)【要約】【課題】蒸発皿の貯水量を充分に確保した状態で、送風機を配置する空間を小さくして、除霜水蒸発装置全体の収納空間を小さくした冷蔵庫を提供すること。【解決手段】貯蔵室を有する冷蔵庫本体を備え、冷蔵庫本体の下部に設けられた空間部１に圧縮機２、制御基板収納部３及び除霜水蒸発装置を有する冷蔵庫であって、除霜水蒸発装置は、除霜水を受けるほぼＵ字状の蒸発皿４と、蒸発皿４のほぼ中央に配設された圧縮機冷却用送風機５とを備え、圧縮機冷却用送風機５の吸込み側と吹出し側を蒸発皿４の貯水部と対向させて空気を強制対流させるようにした。この場合、蒸発皿４の底面位置とほぼ同じ高さ位置に圧縮機冷却用送風機５の底部を配設した。【選択図】図３
2011117695.tif 000002
【特許請求の範囲】
【請求項１】
貯蔵室を有する冷蔵庫本体を備え、前記冷蔵庫本体の下部に設けられた空間部に圧縮機、制御基板収納部及び除霜水蒸発装置を有する冷蔵庫であって、
前記除霜水蒸発装置は、除霜水を受けるほぼＵ字状の蒸発皿と、該蒸発皿のほぼ中央に配設された圧縮機冷却用送風機とを備え、
前記圧縮機冷却用送風機の吸込み側と吹出し側を前記蒸発皿の貯水部と対向させて空気を強制対流させることを特徴とする冷蔵庫。
【請求項２】
前記蒸発皿は冷蔵庫の背面側に配向する二股状の脚部とこれらの脚部を連通する連通部とからなり、
これらの脚部と連通部とにより囲まれた切欠き溝に前記圧縮機冷却用送風機が配設され、
前記圧縮機冷却用送風機の吸込み側と吹出し側を前記それぞれの脚部と対向させたことを特徴とする請求項１記載の冷蔵庫。
【請求項３】
前記蒸発皿の底面位置とほぼ同じ高さ位置に前記圧縮機冷却用送風機の底部を配設したことを特徴とする請求項２記載の冷蔵庫。
【請求項４】
前記蒸発皿の底面は、前記圧縮機側に位置する第１の底面とその反対側に位置する第２の底面とからなり、前記第２の底面を前記第１の底面より低くしたことを特徴とする請求項２または３記載の冷蔵庫。
【請求項５】
前記圧縮機冷却用送風機の吹き出し側に、前記蒸発皿に除霜水を導く排水管を取り付けたことを特徴とする請求項２〜４のいずれかに記載の冷蔵庫。
【請求項６】
前記圧縮機冷却用送風機の吸込み側であって前記圧縮機冷却用送風機のファン部の投影面の外側に、前記蒸発皿に除霜水を導く排水管を取り付けたことを特徴とする請求項２〜４のいずれかに記載の冷蔵庫。
【請求項７】
前記排水管の先端部が前記蒸発皿の底面上部に位置することを特徴とする請求項５または６記載の冷蔵庫。
【請求項８】
前記排水管の先端部が前記蒸発皿と一体に成形された爪部に着脱可能に取り付けられたことを特徴とする請求項７記載の冷蔵庫。
【請求項９】
前記蒸発皿の脚部の端部壁に排水用切欠き部を設けたことを特徴とする請求項２〜８のいずれかに記載の冷蔵庫。
【請求項１０】
前記排水用切欠き部を２個所以上設けたことを特徴とする請求項９記載の冷蔵庫。
【請求項１１】
前記冷蔵庫本体の背面下部を覆うカバーに開口部が設けられ、該開口部から前記排水用切欠き部が外部に貫通するようにしたことを特徴とする請求項９または１０に記載の冷蔵庫。
【請求項１２】
前記蒸発皿内部の床面または壁面に前記圧縮機の吐出管と近接するリブを設けたことを特徴とする請求項２〜１１のいずれかに記載の冷蔵庫。
【請求項１３】
前記蒸発皿の切欠き溝を跨いで二股状の脚部に接続するフランジを設けたことを特徴とする請求項２〜１２のいずれかに記載の冷蔵庫。
【請求項１４】
前記蒸発皿を前記フランジを介して前記冷蔵庫本体の台板にネジ固定したことを特徴とする請求項１３記載の冷蔵庫。
【発明の詳細な説明】
【技術分野】
【０００１】
本発明は、除霜水蒸発装置を備えた冷蔵庫に関するものである。
【背景技術】
【０００２】
従来の冷蔵庫の除霜水蒸発装置に、蒸発皿の上方に送風手段を設けて除霜水を蒸発させるようにしたものがある（例えば、特許文献１参照）。
【先行技術文献】
【特許文献】
【０００３】
【特許文献１】特開２００８−２７９７号公報（第６頁、図１、図２）
【発明の概要】
【発明が解決しようとする課題】
【０００４】
特許文献１の除霜水蒸発装置は、蒸発皿の上方に送風手段を設けているため、上下方向に収納空間を確保しなければならず、除霜水蒸発装置を収納するための空間が大きくなってしまう等の問題があった。
【０００５】
本発明は、上記のような課題を解決するためになされたもので、送風機を配置する空間を小さくして除霜水蒸発装置全体の収納空間を小さくした冷蔵庫を提供することを目的とする。
【課題を解決するための手段】
【０００６】
本発明は、貯蔵室を有する冷蔵庫本体を備え、冷蔵庫本体の下部に設けられた空間部に圧縮機、制御基板収納部及び除霜水蒸発装置を有する冷蔵庫であって、
除霜水蒸発装置は、除霜水を受けるほぼＵ字状の蒸発皿と、蒸発皿のほぼ中央に配設された圧縮機冷却用送風機とを備え、圧縮機冷却用送風機の吸込み側と吹出し側を蒸発皿の貯水部と対向させて空気を強制対流させるようにしたものである。
【発明の効果】
【０００７】
除霜水蒸発装置は、ほぼＵ字状の蒸発皿と、蒸発皿のほぼ中央に配設された圧縮機冷却用送風機とを備えているので、蒸発皿の貯水量を充分に確保した状態で除霜水蒸発装置全体の収納空間を小さくすることができる。
【図面の簡単な説明】
【０００８】
【図１】本発明の実施の形態１に係る冷蔵庫の背面下部を示す斜視図である。
【図２】図１の背面図である。
【図３】図２のＡ−Ａ断面図である。
【図４】図２のＢ−Ｂ断面図である。
【図５】図１の冷蔵庫の背面下部にカバーを取り付けた状態の斜視図である。
【図６】本発明の実施の形態２に係る冷蔵庫の要部の平断面図である。
【図７】本発明の実施の形態３に係る冷蔵庫の要部の平断面図である。
【発明を実施するための形態】
【０００９】
実施の形態１．
図１〜図３において、冷蔵庫本体は貯蔵室を備えており、冷蔵庫本体の背面下部の空間１内には、圧縮機２、制御基板収納部３、ほぼＵ字形状の蒸発皿４、及び圧縮機冷却用送風機５が設けられており（ほぼＵ字形状の蒸発皿４と圧縮機冷却用送風機５とにより除霜水蒸発装置を形成する）、空間部１の上部であって圧縮機冷却用送風機５の吹出し側（図３の左側）には、蒸発皿４に除霜水を導く排水管６が取り付けられている。そして、排水管６の蒸発皿４側の先端部（出口部）６ａは蒸発皿４と一体成形された爪部４ａに着脱可能に取付けられて固定されている。なお、蒸発皿４内には、圧縮機２からの吐出管７が通過するようになっている。
【００１０】
ほぼＵ字状の蒸発皿４はその周囲を立設壁で囲まれて内部に除霜水を貯留するようになっており、蒸発皿４の二股状の脚部４０、４１は冷蔵庫の背面側（図３の下側）に配向され、前面側で両脚部４０、４１が連通するようにしてある。そして、蒸発皿４の両脚部４０、４１の間には切欠き溝４３が形成され、この切欠き溝４３に、圧縮機冷却用送風機５がその底面を蒸発皿４の底面とほぼ同じ高さ位置になるようにして配設されている。
すなわち、圧縮機冷却用送風機５の吸込み側（図３の右側）に蒸発皿４の一方の脚部４０が位置し、吹出し側に他方の脚部４１が位置し、前面側（図３の上側）に連通部４２が位置しており、圧縮機冷却用送風機５の吸込み側と吹出し側を蒸発皿４の貯水部（二股状の脚部４０、４１）と対向させて空気を圧縮機２側に強制対流させるようにしてある。
【００１１】
蒸発皿４の底面は、圧縮機２側に位置する第１の底面（床面）４ｂ（圧縮機２側の脚部４１位置に相当）と、その反対側に位置する第２の底面（床面）４ｃ（圧縮機２側と反対側の脚部４０位置及び連通部４２位置に相当）とからなり、第１の底面４ｂと第２の底面４ｃとはその高さが異なり、第２の底面４ｃ側が低くなっている。
そして、排水管６の先端部６ａは蒸発皿４の第１の底面４ｂの上部に配置されている。また、蒸発皿４内の底面（第２の底面４ｃ）または背面には、吐出管７との接触を防ぐためのリブ４ｄが設けられている。
【００１２】
蒸発皿４の両脚部４０、４１の端部壁４ｅの上部には半円筒状の排水用切欠き部４ｆがそれぞれ設けられており、除霜水を冷蔵庫の外部に排水できるようになっている。この排水用切欠き部４ｆは蒸発皿４の端部壁４ｅに２箇所設けた場合を示したが、それ以上設けてもよい。
【００１３】
図４に示すように、冷凍室８の背面側には冷却器９と庫内空気循環用送風機１０が設けられており、冷却器９の下部には霜取り用ヒータ１１が取付けられている。そして、霜取り用ヒータ１１の下方には除霜水の水受け部１２が配設され、水受け部１２と一体成形された水受け排水管１２ａがウレタン製の断熱部１３を通過して排水管６に接続されている。
【００１４】
図５に示すように、冷蔵庫の背面下部の空間部１はカバー１４によって覆われており、カバー１４には開口部１５が設けられ、この開口部１５から蒸発皿４の排水用切欠き部４ｆが外部に貫通するようになっている。
【００１５】
次に動作について説明する。
冷蔵庫の運転時において、冷凍室８の背面に配置された冷却器９に霜が付着すると、この霜は霜取り用ヒータ１１によって加熱されて除霜水として水受け部１２に落下し、ここから水受け排水管１２ａを通過して排水管６を通り、蒸発皿４内に導かれる。排水管６の先端部６ａは蒸発皿４の第１の底面４ｂに位置しているので、除霜水は吐出管７に直接当たることなく蒸発量の多い吐出管７付近の蒸発皿４内に流入する。蒸発皿４内の除霜水は、吐出管７及び圧縮機２の熱と、圧縮機冷却用送風機５の吸込み側から吹出し側への空気の強制対流とにより蒸発して、冷蔵庫周囲の空間に放出される。
冷蔵庫を引越し等により運搬して移動させるときは、カバー１４を外すことなく、冷蔵庫全体を後方に傾けて、除霜水を排水用切欠き部４ｅから開口部１５を通して冷蔵庫の外に排出する。
【００１６】
冷蔵庫の運転時には、以上のようにして除霜水を蒸発させるようにしたので、上下の狭い空間に蒸発皿４と圧縮機冷却用送風機５とを配置しても、除霜能力を低下させることなく除霜水を蒸発させることができる。この場合、圧縮機冷却用送風機５の吸込み側、吹出し側に蒸発皿４の脚部４０、４１が配置されているので、蒸発皿４に溜まっている除霜水表面の空気の対流を増加させることができる。
そして、排水管６の先端部６ａは蒸発皿４と一体成形された爪部４ａに取り付けられて固定されているので、除霜水は蒸発皿４内に確実に導入され、蒸発皿４以外に水が飛び散ったり床に水漏れが生じるのを防ぐことができる。また、吐出管７の下部の蒸発皿４内にリブ４ｄを設けたので、吐出管７が蒸発皿４の底面に接触することがなく、穴あきによる水漏れを防止することができる。さらに、排水管６を圧縮機冷却用送風機５の吹出し側に配置したので、圧縮機２の熱と圧縮機冷却用送風機５からの送風によって除霜水が凍結することがないため、凍結による詰まりを防止することができる。
【００１７】
一方、冷蔵庫を引越し等により運搬して移動させるときは、カバー１４に蒸発皿４内の除霜水を排水する開口部１５を設けたので、カバー１４を外すことなく冷蔵庫全体を後方に傾けて、排水用切欠き部４ｅから開口部１５を通して除霜水を冷蔵庫の外に排出することができるため、排水作業を短時間に終えることができる。また、排水箇所を複数設けたので、蒸発皿４の排水用切欠き部４ｆ以外からの水漏れを防止することができる。
【００１８】
実施の形態２．
実施の形態１では排水管６を圧縮機冷却用送風機５の吹出し側に配設したが、実施の形態２では圧縮機冷却用送風機５の吸込み側に配設したものである。
図６に示すように、排水管６は圧縮機冷却用送風機５の吸込み側に配置されており、さらに、圧縮機冷却用送風機５のファン部５ａの投影面の外側に位置する。
このように排水管６を配置したので、圧縮機冷却用送風機５から圧縮機２への送風量が増加して圧縮機２の能力を向上させ、消費電力量を削減することができる。
【００１９】
実施の形態３．
実施の形態１、２ではほぼＵ字形状の蒸発皿４を設けた場合を示したが、実施の形態３はこのＵ字状の蒸発皿４の切欠き溝４３にさらにフランジ等を取り付けたものである。
図７において、ほぼＵ字形状の蒸発皿４の切欠き溝４３を跨いで両脚４０、４１を接続するフランジ４ｇが設けられており、蒸発皿４と一体に成形してある。また、フランジ４ｇにはネジ固定用の穴部が設けられ、蒸発皿４の下部の台板１６に当接させて、フランジ４ｇの穴を通してフランジ４ｇを台板１６にネジ固定してある。
【００２０】
以上のように、蒸発皿４の切欠き溝４３にフランジ４ｇを設けることにより、蒸発皿４の変形を抑えることができる。また、フランジ４ｇを通して蒸発皿４を台板１６にネジ固定することにより、除霜水の貯水部にネジを用いずに固定して水漏れを防止することができる。
【符号の説明】
【００２１】
１  空間部、２  圧縮機、３  制御基板収納部、４  蒸発皿（除霜水蒸発装置）、４ａ  爪部、４ｂ  第１の底面、４ｃ  第２の底面、４ｄ  リブ、４ｅ  脚部の端部壁、４ｆ  排水用切欠き部、４ｇ  フランジ、５  圧縮機冷却用送風機（除霜水蒸発装置）、５ａ  圧縮機冷却用送風機のファン部、６  排水管、６ａ  排水管の先端部、７  吐出管、１４  カバー、１５  開口部、１６  冷蔵庫本体の台板、４０、４１  脚部、４２  連通部、４３  切欠き溝。
【図１】
2011117695.tif 000003
【図２】
2011117695.tif 000004
【図３】
2011117695.tif 000005
【図４】
2011117695.tif 000006
【図５】
2011117695.tif 000007
【図６】
2011117695.tif 000008
【図７】
2011117695.tif 000009